(57)【要約】      （修正有）【課題】被使用者の背部、腰部、臀部、腹部又は膝部を保温することができると共に、装着したままで歩行することが可能な保温座布団を提供する。【解決手段】保温座布団１０は、被使用者の背部及び腰部を保温する背面片１と、被使用者の臀部を保温する座面片２と、被使用者の腰部及び腹部又は膝部を保温する一対の腹巻片３ａ、３ｂとを有しており、腹巻片３ａ、３ｂの一方の端部は、背面片１の側部と座面片２の側部とに連接すると共に、腹巻片３ａ、３ｂの平面を、座面片２の平面に対して略９０度の角度をなす状態とした場合に、腹巻片３ａ、３ｂの延出方向が、座面片２の平面に対して斜め上方となるようにしている。【選択図】図１
0003195850.tif 000002
【実用新案登録請求の範囲】
【請求項１】
被使用者の背部及び腰部を保温する背面片と、被使用者の臀部を保温する座面片と、被使用者の腰部及び腹部又は膝部を保温する一対の腹巻片とを有する保温座布団であって、前記背面片の平面は、前記座面片の平面に対して略９０度の角度をなすことが可能であり、前記腹巻片の一方の端部は、前記背面片の側部と前記座面片の側部とに連接すると共に、前記腹巻片の平面を、前記座面片の平面に対して略９０度の角度をなす状態とした場合に、前記腹巻片の延出方向が、前記座面片の平面に対して斜め上方であることを特徴とする保温座布団。
【請求項２】
一対の腹巻片の長手方向の長さは、座面片の幅方向の長さよりも長いことを特徴とする請求項１に記載の保温座布団。
【請求項３】
腹巻片の平面を、座面片の平面に対して略９０度の角度をなす状態とした場合に、前記腹巻片の延出方向が、前記座面片の平面に対して略４５度斜め上方であることを特徴とする請求項１又は２に記載の保温座布団。
【請求項４】
一対の腹巻片の一方に固定されている紐と、他方の腹巻片の端部近傍の座面片に固定されている紐とを結ぶことによって、被使用者に装着され、該装着された状態で歩行が可能なことを特徴とする請求項１〜３のいずれか１項に記載の保温座布団。
【請求項５】
取り付け紐を介して椅子に固定が可能なループ片を、所定の２箇所に設けたことを特徴とする請求項１〜４のいずれか１項に記載の保温座布団。
【請求項６】
背面片と座面片と一対の腹巻片は、被使用者に当接する側の面と、その反対側の面とが異なる材質であって、周縁を縫い合わせることによって、内部空間部が形成されていることを特徴とする請求項１〜５のいずれか１項に記載の保温座布団
【請求項７】
背面片と座面片と一対の腹巻片の、被使用者に当接する側の面は、起毛生地にて形成されていることを特徴とする請求項６に記載の保温座布団。
【請求項８】
内部空間部には、芯材又は保温材を封入可能なことを特徴とする請求項６又は７に記載の保温座布団。
【請求項９】
背面片と座面片と一対の腹巻片は、化学繊維を含むものであって、該化学繊維は、蓄熱繊維であることを特徴とする請求項１〜８のいずれか１項に記載の保温座布団。
【考案の詳細な説明】
【技術分野】
【０００１】
本考案は、被使用者の背部、腰部、臀部、腹部又は膝部等を保温することができる保温座布団に関するものである。
【背景技術】
【０００２】
従来から、椅子に着席した時の下半身の保温を促進するためのクッションが知られている（特許文献１）。この特許文献１に記載のクッションは、クッションを足元まで延長して、ロングクッションとし、ふくらはぎにあたる部分にカイロ挿入ポケットを設けると共に、ロングクッションの片側に膝掛けを付けたものであった。
【先行技術文献】
【特許文献】
【０００３】
【特許文献１】特開２００９−３９４８０号公報
【考案の概要】
【考案が解決しようとする課題】
【０００４】
しかしながら、上記特許文献１に記載のクッションは、被使用者が装着したままで歩行することは難しく、椅子から離れる度に取り外すこととなるので、十分な保温効果を得ることができなかった。また、下半身だけでなく、背部、腰部及び腹部を保温することが可能な保温座布団が求められていた。
【０００５】
そこで、本考案は、被使用者の背部、腰部、臀部、腹部又は膝部を保温することができると共に、装着したままで歩行することが可能な保温座布団を提供することを目的とする。
【課題を解決するための手段】
【０００６】
上記課題を解決するため、請求項１に記載の考案は、被使用者の背部及び腰部を保温する背面片と、被使用者の臀部を保温する座面片と、被使用者の腰部及び腹部又は膝部を保温する一対の腹巻片とを有する保温座布団であって、前記背面片の平面は、前記座面片の平面に対して略９０度の角度をなすことが可能であり、前記腹巻片の一方の端部は、前記背面片の側部と前記座面片の側部とに連接すると共に、前記腹巻片の平面を、前記座面片の平面に対して略９０度の角度をなす状態とした場合に、前記腹巻片の延出方向が、前記座面片の平面に対して斜め上方であることを特徴としている。したがって、被使用者の背部は、保温座布団の背面片によって保温され、腰部は、背面片及び腹巻片によって保温される。また、被使用者の臀部は、座面片によって保温され、腹部又は膝部は、腹巻片によって保温される。また、保温座布団を装着した状態で、椅子に座っていることができると共に、立ち上がって歩行することも可能である。
【０００７】
また、請求項２に記載の考案は、請求項１に記載の考案において、一対の腹巻片の長手方向の長さは、座面片の幅方向の長さよりも長いことを特徴としている。したがって、一対の腹巻片によって、確実に被使用者の腹部又は膝部を保温することができる。
【０００８】
また、請求項３に記載の考案は、請求項１又は２に記載の考案において、腹巻片の平面を、座面片の平面に対して略９０度の角度をなす状態とした場合に、前記腹巻片の延出方向が、前記座面片の平面に対して略４５度斜め上方であることを特徴としている。したがって、被使用者が椅子に座った状態で容易に腹巻片を腹部に当接させることができる。
【０００９】
また、請求項４に記載の考案は、請求項１〜３のいずれか１項に記載の考案において、一対の腹巻片の一方に固定されている紐と、他方の腹巻片の端部近傍の座面片に固定されている紐とを結ぶことによって、被使用者に装着され、該装着された状態で歩行が可能なことを特徴としている。したがって、紐によって被使用者への保温座布団の装着を確実に行うことができる。
【００１０】
また、請求項５に記載の考案は、請求項１〜４のいずれか１項に記載の考案において、取り付け紐を介して椅子に固定が可能なループ片を、所定の２箇所に設けたことを特徴としている。したがって、ループ片に取り付け紐を通し、該取り付け紐の両端を椅子に結び付けることによって、保温座布団を確実に椅子へ固定することができる。
【００１１】
また、請求項６に記載の考案は、請求項１〜５のいずれか１項に記載の考案において、背面片と座面片と一対の腹巻片は、被使用者に当接する側の面と、その反対側の面とが異なる材質であって、周縁を縫い合わせることによって、内部空間部が形成されていることを特徴としている。したがって、内部空間部に空気の層が形成されることから、断熱保温効果を高めることができる。
【００１２】
また、請求項７に記載の考案は、請求項６に記載の考案において、背面片と座面片と一対の腹巻片の、被使用者に当接する側の面は、起毛生地にて形成されていることを特徴としている。したがって、被使用者への肌触りを向上させることができると共に、保温効果を一層高めることができる。
【００１３】
また、請求項８に記載の考案は、請求項６又は７に記載の考案において、内部空間部には、芯材又は保温材を封入可能なことを特徴としている。したがって、内部空間部に芯材を封入することによって、椅子に設置した場合の形状を安定させることができる。また、内部空間部に保温材を封入することによって、保温効果を一層向上させることができる。
【００１４】
また、請求項９に記載の考案は、請求項１〜８のいずれか１項に記載の考案において、背面片と座面片と一対の腹巻片は、化学繊維を含むものであって、該化学繊維は、蓄熱繊維であることを特徴としている。したがって、蓄熱繊維によって、保温効果を一層向上させることができる。
【考案の効果】
【００１５】
請求項１に記載の保温座布団の考案により、被使用者の背部、腰部、臀部、腹部又は膝部を保温することができると共に、被使用者は、保温座布団を装着したままで歩行することができる。
【００１６】
また、請求項２に記載の考案は、一対の腹巻片によって、確実に被使用者の腹部又は膝部を保温することができる。
【００１７】
また、請求項３に記載の考案は、被使用者が椅子に座った状態で容易に腹巻片を腹部に当接させることができる。
【００１８】
また、請求項４に記載の考案は、紐によって被使用者への保温座布団の装着を確実に行うことができる。
【００１９】
また、請求項５に記載の考案により、保温座布団を確実に椅子へ固定することができる。
【００２０】
また、請求項６に記載の考案により、内部空間部に空気の層が形成されることから、断熱保温効果を高めることができる。
【００２１】
また、請求項７に記載の考案は、被使用者への肌触りを向上させることができると共に、保温効果を一層高めることができる。
【００２２】
また、請求項８に記載の考案は、内部空間部に芯材を封入することによって、椅子に設置した場合の形状を安定させることができ、内部空間部に保温材を封入することによって、保温効果を一層向上させることができる。
【００２３】
また、請求項９に記載の考案は、蓄熱繊維によって、保温効果を一層向上させることができる。
【図面の簡単な説明】
【００２４】
【図１】本考案に係る保温座布団を正面方向から見た斜視図である。
【図２】本考案に係る保温座布団の背面図である。
【図３】本考案に係る保温座布団の底面図である。
【図４】本考案に係る保温座布団の右側面図である。
【図５】本考案に係る保温座布団の左側面図である。
【図６】本考案に係る保温座布団の使用例を示す斜視図である。
【図７】本考案に係る保温座布団の使用例を示す斜視図である。
【図８】本考案に係る保温座布団の使用例を示す斜視図である。
【図９】本考案に係る保温座布団の使用例を示す斜視図である。
【考案を実施するための形態】
【００２５】
以下に、図面を用いて本考案の実施形態を説明する。図１は、本考案に係る保温座布団を正面方向から見た斜視図であり、図２は、同背面図、図３は、同底面図、図４は、同右側面図、図５は、同左側面図である。これらの図に示すように、本考案に係る保温座布団１０は、被使用者の背部及び腰部を保温する背面片１と、被使用者の臀部を保温する座面片２と、被使用者の腰部及び腹部又は膝部を保温する一対の腹巻片３ａ、３ｂとを有している。尚、図面上、破線で表している線は、補強の為にミシン縫いされた縫い目を示す線である。また、図２において、一対の腹巻片３ａ、３ｂは、座面片２の表面側に折り曲げた状態での背面図であり、図３も同様の状態での底面図である。一方、図４及び図５においては、形状の説明上、一対の腹巻片３ａ、３ｂを伸ばした状態での側面図を描いているが、変形可能な布製の素材であることから、図示していない別途の支持部材や吊り部材等によって支えていなければ、図４及び図５に描いた状態を維持することはできない。
【００２６】
そして、背面片１の平面は、座面片２の平面に対して略９０度の角度をなすことが可能となるように、背面片１の一方の端部と座面片２の一方の端部とが縫い合わされている。また、腹巻片３ａ、３ｂの一方の端部は、背面片１の側部と座面片２の側部とに連接すると共に、腹巻片３ａ、３ｂの平面を、座面片２の平面に対して略９０度の角度をなす状態とした場合に、腹巻片３ａ、３ｂの延出方向が、座面片２の平面に対して斜め上方となるようにしている。
【００２７】
即ち、図４及び図５では、腹巻片３ａ、３ｂの平面を、座面片２の平面に対して略９０度の角度をなす状態としており、この状態で、腹巻片３ａ、３ｂの延出方向が、座面片の平面に対してなす角度Ａ及びＢが、略４５度となるようにしている。このように構成することによって、被使用者が椅子に座った状態で容易に腹巻片３ａ、３ｂを腹部に当接させることができるのである。
【００２８】
また、腹巻片３ａ、３ｂの長手方向の長さ（図４におけるＣの長さ及び図５におけるＤの長さ）は、座面片２の幅方向の長さ（図１におけるＥの長さ）よりも長くなるようにしている。このように構成することによって、一対の腹巻片３ａ、３ｂによって、確実に被使用者の腹部又は膝部を保温することができるのである。
【００２９】
また、一方の腹巻片３ｂの端部には、紐４ａの端部が固定されており、他方の腹巻片３ａの端部近傍の座面片２に紐４ｂの端部が固定されている。この紐４ａと紐４ｂとを結ぶことによって、保温座布団１０は、被使用者に装着され、該装着された状態で歩行が可能となっている。したがって、紐４ａ及び紐４ｂによって被使用者への保温座布団の装着を確実に行うことができるのである。
【００３０】
また、背面片１と腹巻片３ａ、３ｂの接合部分には、ループ片５ａ、５ｂが固定されている。このループ片５ａ、５ｂは、穴部が形成されており、穴部に取り付け紐（図示せず）を通し、該取り付け紐の両端を椅子に結び付けることによって、保温座布団１０を確実に椅子へ固定することができる。
【００３１】
また、保温座布団１０は、背面片１と座面片２と一対の腹巻片３ａ、３ｂは、被使用者に当接する側の面と、その反対側の面とが異なる材質であって、周縁を縫い合わせることによって、内部空間部が形成されている。この内部空間部に空気の層が形成されることによって、断熱保温効果を高めているのである。
【００３２】
また、背面片１と座面片２と一対の腹巻片３ａ、３ｂの、被使用者に当接する側の面は、起毛生地にて形成されている。この起毛生地によって、被使用者への肌触りを向上させることができると共に、保温効果を一層高めることができるのである。
【００３３】
尚、前述した内部空間部には、芯材又は保温材を封入することも可能である。内部空間部に芯材を封入することによって、椅子に設置した場合の形状を安定させることができる。また、内部空間部に保温材を封入することによって、保温効果を一層向上させることができる。
【００３４】
また、背面片１と座面片２と一対の腹巻片３ａ、３ｂは、蓄熱繊維からなる化学繊維を有して形成されている。この蓄熱繊維の一例として、遠赤外線放射物質をパウダー状に加工してポリエステル等の化学繊維に練り込んだものを挙げることができる。また、遠赤外線放射物質の一例として、アルミナ等の人工的に作られたセラミック、天然鉱石等を挙げることができる。
【００３５】
図６〜図９は、本考案に係る保温座布団の使用例を示す斜視図である。本考案に係る保温座布団１０は、図６及び図７に示すように、椅子６に設置した状態で使用することができる。この場合、先ず、被使用者は、座面片２の上に腰掛けた状態において、両手で腹巻片３ａ、３ｂをつかむ（図６参照）。次に、腹巻片３ａを腹部に巻き付けた後、腹巻片３ｂを腹巻片３ａの上方から腹部に巻き付ける。そして、紐４ａと紐４ｂとを結ぶことによって、保温座布団１０は、被使用者に装着される（図７参照）。尚、図６に示す状態において、一対の腹巻片３ａ、３ｂを腹部に巻き付けないで、被使用者の膝（太もも）の上に載置することもできる。したがって、被使用者は、腹部を保温したい場合と膝を保温したい場合のどちらか一方を選択することができる。
【００３６】
そして、図８及び図９に示すように、本考案に係る保温座布団１０を装着した状態で、起立し、歩行することが可能である。何故ならば、座面片２が膝下まで延びておらず、歩行の際に邪魔になることがないからである。したがって、職場において、椅子に座った状態で作業をする状態と、コピー機等に移動して作業をする状態とがある場合でも、本考案に係る保温座布団１０を毎回着脱する必要は無く、１日中装着した状態で作業をすることが可能となることから、作業効率を向上させることができると共に、継続的に保温効果を維持することができる。
【産業上の利用可能性】
【００３７】
本考案の保温座布団は、被使用者の背部、腰部、臀部、腹部又は膝部等を保温することができる座布団として利用される。
【符号の説明】
【００３８】
１  背面片
２  座面片
３ａ、３ｂ  腹巻片
４ａ、４ｂ  紐
５ａ、５ｂ  ループ片
６  椅子
１０  保温座布団
【図１】
0003195850.tif 000003
【図２】
0003195850.tif 000004
【図３】
0003195850.tif 000005
【図４】
0003195850.tif 000006
【図５】
0003195850.tif 000007
【図６】
0003195850.tif 000008
【図７】
0003195850.tif 000009
【図８】
0003195850.tif 000010
【図９】
0003195850.tif 000011